(57)【特許請求の範囲】
【請求項１】
キッチンユニット等の天井板に穿設された略方形状の換気扇取付用開口に、下方に向けた開口部の周縁にフランジ部を有する換気扇本体を該換気扇本体の前記フランジ部が前記天井板の換気扇取付用開口の周縁の下面側に位置するように下方側から挿入して取付けられる換気扇の取付構造であって、前記天井板の換気扇取付用開口の周縁部に差込み嵌合される断面略コ字状の嵌合部と、該嵌合部における下片の先端を下方に向けて折曲した垂下片を有し、前記下片の下面側に前記換気扇本体のフランジ部を重ねた状態で前記垂下片の一部を水平方向に折り曲げ可能とするための切欠き部が前記下片と垂下片との折り曲げ部分に設けられた取付具を備え、該取付具の前記嵌合部を前記天井板の換気扇取付用開口の周縁部に差込み嵌合して該取付具を予め天井板に係止し、前記換気扇本体を天井板の換気扇取付用開口内に挿入して該換気扇本体のフランジ部を前記取付具における下片の下面側に重ねた後、該取付具の前記切欠き部が設けられた部分の垂下片を、該垂下片の折り曲げによる折曲部が前記換気扇本体のフランジ部の下面側に位置するように水平方向に折り曲げて、換気扇本体のフランジ部を取付具における垂下片の折曲部で支持するように取付けてなることを特徴とする換気扇の取付構造。
【発明の詳細な説明】
【０００１】
【発明の属する技術分野】
本発明は、小規模集合住宅やワンルームマンション等に設置されるキッチンユニット等の厨房台における換気扇の取付構造に関するものである。
【０００２】
【従来の技術】
従来より小規模集合住宅やワンルームマンションにおいては、ミニキッチンなどと称されている小スペース対応型のキッチンユニットが通常に設置使用されており、この種のキッチンユニットは狭いスペースに設置されるという制約があるため、その間口寸法は９００ｍｍ及び１２００ｍｍが通常であり、また、奥行寸法は５００ｍｍが一般的であって、さらに、高さ寸法は集合住宅の室内梁下に納まる寸法としての１９００ｍｍが最適とされている。
上記キッチンユニットは、図３（ａ）に示すように箱型形状とされ、その構成は下部ユニット２０と上部ユニット１０に分割され、この二つのユニットを設置現場で組み立てて自立させる構造となっている。下部ユニット２０は、ステンレス製等からなるシンク２２、１口電気こんろ又は１口ガスこんろ等の加熱機器２３、水栓２４等を取付け組み込んだステンレス製等の金属板からなるカウンタートップ２１の下部に、小型冷蔵庫２６等を収納できるようにした扉付きのキャビネット２５を備えている。
一方、上部ユニット１０は、消防法上の規制から不燃材を使用した両側のサイドパネル１１、１１とバックパネル１２と天井板１３との間に、収納ボックス１４と照明１５を取付け、天井パネル１３には換気扇１６を取付けて、これに配管ダクトを接続して外部へ排気する構造となっている。
【０００３】
従来、上述した上部ユニットにおける換気扇１６の取付け工事は、換気扇の取付け位置及び換気扇の種類が建物や部屋によって異なるため、現地での寸法合わせが必要となって事前に工場で換気扇を取付けることができず、現地施工が通常となっている。
そして、従来における設置現場での換気扇の取付け方法は、図３（ｂ）に示すように、先ず、天井板１３の所定の位置に換気扇本体の外形寸法に合わせた所定寸法の換気扇取付用開口１３ａを穿孔し、この換気扇取付用開口１３ａに換気扇本体１６ａを下方から挿入して、取付ねじ１７で換気扇本体１６ａのフランジ部１６ｂを天井板１３に固定する構造が取られるが、天井板１３としては取付ねじ１７の保持力・強度を考慮して、通常１５ｍｍ程度の板厚の化粧不燃板が使用されている。
【０００４】
【発明が解決しようとする課題】
ところで近年、この種のキッチンユニットは低コスト化が進み、キッチンメーカーとしての原価低減策が重要な課題となっており、キッチンユニットの原価低減要素の中でも、設置現場における施工性の向上を図ることにより原価低減が可能となる。
そして、この設置現場における施工性の向上策として、天井板自体の板厚を薄くすることによりカッターナイフでも換気扇取付用開口１３ａの穴明けのための切断加工ができるようにすることが考えられるものの、板厚を薄くすると換気扇本体を取付けるための取付ねじの保持力が低下するという問題が生じる。
【０００５】
本発明は、取付ねじを使用しない固定方式で天井パネルの板厚を薄くすることが可能な換気扇の取付構造を提供することを目的とするものである。
【０００６】
【課題を解決するための手段】
本発明者らは、前記課題を解決するための取付構造について種々検討した結果、比較的単純な形状の取付具を用いることにより解決できることに想い到った。
【０００７】
本発明における換気扇の取付構造は、キッチンユニット等の天井板に穿設された略方形状の換気扇取付用開口に、下方に向けた開口部の周縁にフランジ部を有する換気扇本体を該換気扇本体の前記フランジ部が前記天井板の換気扇取付用開口の周縁の下面側に位置するように下方側から挿入して取付けられる換気扇の取付構造であって、前記天井板の換気扇取付用開口の周縁部に差込み嵌合される断面略コ字状の嵌合部と、該嵌合部における下片の先端を下方に向けて折曲した垂下片を有し、前記下片の下面側に前記換気扇本体のフランジ部を重ねた状態で前記垂下片の一部を水平方向に折り曲げ可能とするための切欠き部が前記下片と垂下片との折り曲げ部分に設けられた取付具を備え、該取付具の前記嵌合部を前記天井板の換気扇取付用開口の周縁部に差込み嵌合して該取付具を予め天井板に係止し、前記換気扇本体を天井板の換気扇取付用開口内に挿入して該換気扇本体のフランジ部を前記取付具における下片の下面側に重ねた後、該取付具の前記切欠き部が設けられた部分の垂下片を、該垂下片の折り曲げによる折曲部が前記換気扇本体のフランジ部の下面側に位置するように水平方向に折り曲げて、換気扇本体のフランジ部を取付具における垂下片の折曲部で支持するように取付けるものである。
【０００８】
【発明の実施の形態】
本発明は取付ねじを使用せず、また、カッターナイフを使用しての穴明け切断加工が可能なように、天井板としての化粧不燃板の板厚は約６ｍｍ程度に設定される。
一方、取付具は、板厚１ｍｍ程度の鋼板等の折り曲げ加工により形成されており、この取付具における断面略コ字状の嵌合部の寸法は、この嵌合部に前記板厚の天井板に対して隙間なく差し込み嵌合できるように形成され、また、換気扇本体のフランジ部を支持するための取付具における垂下片を折り曲げることによって形成される折曲部が、前記換気扇本体のフランジ部の下面側に充分にかかるようにするのが好ましく、また、上記垂下片の折り曲げ作業に際しては、ペンチ（プライヤー）等が使用される。
なお、取付具は、略方形状の換気扇取付用開口の各辺の略中央部分に一個づつ（計４個）差し込み嵌合するようにするのが好ましい。
【０００９】
【実施例】
以下、本発明による換気扇の取付構造の実施例について図１乃至図２を用いて詳細に説明する。
図１（ａ）は本発明の取付構造における取付具の一実施例を示す斜視図、図１（ｂ）は図１（ａ）の取付具を天井板の換気扇取付用開口の周縁に差し込み嵌合した状態の斜視図、図１（ｃ）は図１（ｂ）に示した状態での換気扇取付用開口への換気扇本体の挿入作業を示す説明側面図、図１（ｄ）は図１（ｃ）に示した換気扇本体挿入後における垂下片部分の折り曲げ作業による折曲部の形成を示す説明斜視図である。
【００１０】
図１（ａ）において、板厚１．０ｍｍの鋼板の折り曲げ加工により形成される取付具１は、上片１ａ、側片１ｂ及び下片１ｃとで構成される断面略コ字状の嵌合部１ｄを有し、この嵌合部１ｄにおける前記下片１ｃの先端を下方に向けて鉛直に折曲した垂下片１ｅを有する形状に形成され、この垂下片１ｅの一部分を水平方向に折り曲げて折曲部１ｇを形成するための切欠き部１ｆが設けられる。
なお、実施例においては、図中に示すＬ１の寸法が５０ｍｍ、Ｌ２の寸法が３０ｍｍ、嵌合部１ｄのＬ３の寸法は板厚６ｍｍの天井板に隙間なく差し込め程度の寸法に、また、切欠き部１ｆの高さ方向のＬ４の寸法は、後述する換気扇本体のフランジ部の板厚等を考慮して１．５ｍｍとし、さらに切欠き部１ｆの幅方向の寸法は取付具１自体の幅寸法Ｌ１の半分の２５ｍｍとした。
次ぎに、上記取付具１による換気扇の取付けについて説明すると、図１（ｂ）に示すように、板厚６ｍｍの化粧不燃板からなる天井板３にカッターナイフ等を用い換気扇本体の外形寸法に合わせて略方形状に穴明け切断加工して形成した換気扇取付用開口３ａの各辺の周縁部に、図１（ａ）に示した取付具１の嵌合部１ｄを差し込み嵌合して、予め取付具１を天井板３に係止する。
次ぎに、図１（ｃ）に示すように、換気扇２のダクト継手４部分をずらしてダクト継手４部分から換気扇本体２ａを換気扇取付用開口３ａ内に挿入して前記ダクト継手４を元どおりにして取付具１の下片１ｃの下面側に換気扇本体２ａのフランジ部２ｂを重ねた後、片手で換気扇本体２ａを押さえておき、一方の手で図１（ｄ）に示すように各取付具１の前記切欠き部１ｆが設けられた部分の垂下片１ｅをペンチ等の工具により矢印方向に折り曲げる。
このような取付作業により、図２（ａ）及び（ｂ）に示すように換気扇本体２ａのフランジ部２ｂが天井板３に嵌合した取付具１の折曲部１ｇで支持されて取付けられる。
【００１１】
【発明の効果】
本発明の換気扇の取付構造によれば、取付ねじを使用しない固定方式としたので、天井パネルの板厚を薄くすることが可能となって材料費の低減ができるとともに、設置現場における天井板の穴明け加工が簡単となって施工性の向上と、取付け作業の簡略化が計れて、原価低減が可能となる。
【図面の簡単な説明】
【図１】本発明の実施例を示し、（ａ）は取付具の斜視図、（ｂ）は天井板の換気扇取付用開口の周縁に（ａ）に示した取付具を差し込み嵌合した状態の斜視図、（ｃ）は換気扇取付用開口内への換気扇本体の挿入を示す説明側面図、（ｄ）は取付具の天井板への嵌合を示す説明斜視図である。
【図２】（ａ）及び（ｂ）は図１（ａ）に示した取付具により換気扇本体を取付けた状態の部分斜視図である。
【図３】従来例を示し、（ａ）はキッチンユニットの全体斜視図、（ｂ）は（ａ）のキッチンユニットにおける換気扇取付け部分の説明斜視図である。
【符号の説明】
１…取付具                    １ａ…上片
１ｂ…側片                      １ｃ…下片
１ｄ…嵌合部                    １ｅ…垂下片
１ｆ…切欠き部                  １ｇ…折曲部
２…換気扇                    ２ａ…換気扇本体
２ｂ…フランジ部                  ３…天井板
３ａ…換気扇取付用開口            ４…ダクト継手
１０…上部ユニット              １１…サイドパネル
１２…バックパネル              １３…天井板
１３ａ…換気扇取付用開口        １４…収納ボックス
１５…照明                      １６…換気扇
１６ａ…換気扇本体            １６ｂ…フランジ部
１７…取付ねじ
２０…下部ユニット              ２１…カウンタートップ
２２…シンク                    ２３…加熱機器
２４…水栓                      ２５…キャビネット
２６…小型冷蔵庫
【図１】
0003575563.tif 000002
【図２】
0003575563.tif 000003
【図３】
0003575563.tif 000004